(57)【要約】【課題】  簡単な構造で、しかも介護が容易な、起立補助装置を具備した車椅子を提供する。【解決手段】  車椅子の、座面１の背もたれ部側の端部に、ベルト５を接続し、当該ベルト５を引っ張る方向を、背もたれ部上端に取り付けられた第一のローラー部６と、座面１の下に設けられら第二のローラー部７で転換し、座面１の下のフレームに支点９が設けられた梃子８の片方の端部に接続し、梃子８の他方の端部のペダル３を降下させることで、座面１を傾斜させ、被介護者の起立を介助する。前記ベルト５は、第一のローラー部６または第二のローラー部７に備えられた固定ローラーと可動ローラーに挟持され、可動ローラーをバネによって固定ローラー側に付勢することにより、ベルトの制動機能を構成する。【選択図】図１
2013000554.tif 000002
【特許請求の範囲】
【請求項１】
座面の背もたれ部側の端部に接続され、前記背もたれ部の上端近傍のフレームに設けられた第一のローラー部と前記座面の下部のフレームに設けられた第二のローラー部を経由して、前記座面下部のフレームに設けられた支点を有する梃子の一方の端部に接続されたベルトを具備し、前記梃子の他方の端に設けられたペダルの下降により、前記座面の背もたれ部側の端部を上昇させる機構を有する車椅子において、前記ローラー部は、固定ローラーと可動ローラーを備え、前記ベルトは前記固定ローラーと可動ローラーに挟持され、前記可動ローラーはバネによって固定ローラー側に付勢され、ベルトの制動機能を有することを特徴とする車椅子。
【請求項２】
前記ペダルは、前部に設けられていることを特徴とする、請求項１に記載の車椅子。
【発明の詳細な説明】
【技術分野】
【０００１】  本発明は、介護者の操作により座面を傾斜させることで、被介護者の起立を容易にする起立補助装置を具備した車椅子に関するものである。
【背景技術】
【０００２】  車椅子の利用者は、当然のことながら歩行機能などに何らかの障害を有し、利用者自身の起立に多大の労力を要するばかりでなく、苦痛を伴うことがあるので、介護が必要となる、つまり被介護者となる場合が多い。特に我が国おいては、少子高齢化の進行に伴い、介護される側が高齢者であると、介護する側も高齢となる可能性があり、介護する側の負担が増加するという問題が深刻になりつつある。【０００３】  この対策として、介護ロボットなどの開発が盛んに行われているが、実用化にはなお一定の期間を要し、実用化されても価格などの問題から、直ちに一般に普及するのは困難と思われる。また、前記のロボット以外にも、比較的簡便な構造で、要介護者の起立を補助する機能を具備した車椅子が種々提案されている。【０００４】  一例を挙げると、特許文献１には、車椅子自体の傾きを変えることで、車椅子上の被介護者を立ち上がらせることが可能な、車椅子の起立補助装置が開示されている。しかしながら、ここに開示されている車椅子の起立補助装置においては、車椅子の傾きを変える駆動源として、電動モータ、空圧機構または油圧機構を用い、動力の伝達機構として、プーリ、ピニオン、ラックなどを用いていることから、構造の複雑さにより製造コスト低減が困難であることや、車椅子自体の重量増加が避けられないという問題がある。【０００５】  このような課題への対処策として、本発明者は先に特許文献２において、介護者が車椅子に設けられたペダルを踏むことにより、座面の背もたれ部側の端部に接合されたベルトを用いて座面を傾斜させ、被介護者の起立を支援し得る、簡単な構造の車椅子を提案している。しかしながら、ここに開示されている車椅子においては、ベルトに制動機構が設けられていないため、被介護者が腰を下ろした際に、急激に座面が降下することがあり、改善の余地があった。【０００６】  また、この他にも、座面を傾斜させるためのペダルを踏む位置が車椅子の後側にあり、介護者が被介護者の身体を支えるには、操作位置などにも改善の余地があった。
【先行技術文献】
【特許文献】
【０００７】
【特許文献１】  特許第３５５３８８８号公報
【特許文献２】  特開２００８−１５４９７８号公報
【発明の概要】
【発明が解決しようとする課題】
【０００８】  従って、本発明の課題は、簡単な構造で、しかも介護が容易な、起立補助装置を具備した車椅子を提供することにある。
【課題を解決するための手段】
【０００９】  本発明は、前記の課題解決のため、前記車椅子の起立補助装置における、座面を傾斜させるためのベルトの制動方法や、ペダルの構造を再検討した結果、なされたものである。【００１０】  即ち、本発明は、座面の背もたれ部側の端部に接続され、前記背もたれ部の上端近傍のフレームに設けられた第一のローラー部と前記座面の下部のフレームに設けられた第二のローラー部を経由して、前記座面下部のフレームに設けられた支点を有する梃子の一方の端部に接続されたベルトを具備し、前記梃子の他方の端に設けられたペダルの下降により、前記座面の背もたれ部側の端部を上昇させる機構を有する車椅子において、前記第一のローラー部と前記第二のローラー部の少なくともいずれかは、固定ローラーと可動ローラーを備え、前記ベルトは前記固定ローラーと可動ローラーに挟持され、前記可動ローラーはバネによって固定ローラー側に付勢され、ベルトの制動機能を有することを特徴とする車椅子である。【００１１】  また、本発明は、前記ペダルが、前部に設けられていることを特徴とする、前記の車椅子である。
【発明の効果】
【００１２】  本発明による車椅子においては、座面を傾斜させるためのベルトが、二つのローラー部を経由して、引っ張られる方向が転換されるが、少なくともいずれか一方のローラー部においては、ベルトが固定ローラーと可動ローラーの間に挟まれた状態で、しかも可動ローラーは、バネによって固定ローラー側に押し付けられた状態なので、ベルトに対して制動作用を及ぼす。つまり、ベルトの急速な動きを抑制するためのブレーキ機能が備えられている。【００１３】  また、座面を傾斜させるために踏み降ろすペダルが、車椅子の前方に設けられているので、ペダルが後方に設けられた場合のように、被介護者と介護者の間の背もたれが、介助の障害となることがない。このため、被介護者が起立する際に、介護者が被介護者の身体を直接的に支えることができる。
【図面の簡単な説明】
【００１４】
【図１】  本発明に係る車椅子の一例を示す図。
【図２】  本発明に係る車椅子のローラー部の一例を示す図。
【発明を実施するための形態】
【００１５】  次に、具体的な図に基づいて、本発明の車椅子の実施の形態について説明する。
【００１６】  図１は、本発明に係る車椅子の一例の示す図である。図１において、１は座面、２は座面の回動軸、３はペダル、４は座面のベルト接続部、５はベルト、６は第一のローラー部、７は第二のローラー部、８は梃子、９は梃子の支点、１０は梃子のベルト接続部である。
【００１７】  図１に示したように、本発明の車椅子においては、座面１が前方に端部に設けられた座面の回同軸２を中心として、後部、つまり、背もたれ部側の端部が上昇する構造となっている。そして、座面１の後部の座面のベルト接続部４には、ベルト５が取り付けられ、ベルト５は第一のローラー部６と第二のローラー部７によって、引っ張られる方向が転換され、梃子のベルト接続部１０に接続されている。
【００１８】  これによって、ペダル３を踏み込むと、座面１の後部がベルト５によって上方に引っ張られ、被介護者の起立を介助できる。なお、座面１は後部がベルトに接続されることで位置のずれが生じ難くなるので、座面の回動軸は、特段設けなくとも良い。
【００１９】  図２は、本発明に係る車椅子のローラー部の一例を示す図で、ここでは、図１における第一のローラー部６を示した。図２において、１１ａ及び１１ｂは固定ローラー、１２は可動ローラー、１３は引っ張りバネ、１４はガイドローラー、１５は引っ張りバネ取り付けピン、１６は可動ローラー軸、１７はカバー、１８は座面のベルト接続部４に接続される側の端部、１９は梃子のベルト接続部１０に接続される側の端部である。
【００２０】  図２に示した第一のローラー部６は、２組の固定ローラー１１ａ、１１ｂと、１組の可動ローラー１６を備え、可動ローラー軸１６と引っ張りバネ取り付けピンに間には、引っ張りバネ１３が取り付けられている。引っ張りバネ１３により、可動ローラー１６は、固定ローラー１１ｂの方向に付勢され、二つのローラーに挟持されたベルト５には、制動力が加えられることになる。
【００２１】  この制動力により、座面１が傾斜した状態、つまり座面１の後部が上昇した状態で、被介護者が腰を下ろした際に、座面が急激に降下すること抑制できる。一般に歩行の不自由な被介護者にあっては、中腰で身体を支えるのが困難なので、この機能は非常に有用で、車椅子の使い勝手を向上できる。
【００２２】  また、図２に示したローラー部６は固定ローラーを２組備えているが、これは１組とすることも可能であり、このような構成の制動機構を第２のローラー部７に付与することで、制動機能を増加することも可能である。なお、ローラーの材質としては、制動機能を考慮すると、ゴム系の材料が望ましい。
【００２３】  以上に述べたように本発明によれば、簡便な構造で、被介護者にとっても介護者にとっても使い勝手が向上し、しかも低コストで製作可能な、起立補助装置付きの車椅子を提供することが可能となり、来るべき高齢化社会に寄与するところは極めて大きいと言える。なお、本発明は、前記実施の形態に限定されるものではなく、本発明の分野における通常の知識を有する者であれば想到し得る、各種変形、修正を含む、甫本発明の要旨を逸脱しない範囲の設計変更があっても、本発明に含まれることは勿論である。
【符号の説明】
【００２４】１            座面
２            座面の回動軸
３            ペダル
４            座面のベルト接続部
５            ベルト
６            第一のローラー部
７            第二のローラー部
８            梃子
９            梃子の支点
１０          梃子のベルト接続部である。
１１，１１ｂ  固定ローラー
１２          可動ローラー
１３          引っ張りバネ
１４          ガイドローラー
１５          引っ張りバネ取り付けピン
１６          可動ローラー軸
１７          カバー
１８          座面のベルト接続部に接続される側の端部
１９          梃子のベルト接続部に接続される側の端部
【図１】
2013000554.tif 000003
【図２】
2013000554.tif 000004